(57)【要約】【目的】    工事現場や建築現場において作業員が安全に仕事ができ又、部外者が妄りに立ち入らないようにする防護柵を安定して設置すること。【構成】金属製の上盤体と下盤体を複数の円管で連結し、上盤体に設けている複数の円孔に円管の上部を臨ませてなる重石と、上盤体の側縁に止着する鉄骨クランプと、所望位置に配列した複数の重石同士を固定するため鉄骨クランプ間にわたり連結する単管パイプとから成り、重石の円孔に臨ませている口径を異にする円管に防護柵の支柱を差込み、防護柵を直列させ、並列させ或いはコ字形等に配列した。又、防護柵の支柱に立て看板を取り付けた。【選択図】        図７
0003132001.tif 000002
【実用新案登録請求の範囲】
【請求項１】
金属製の上盤体と下盤体を複数の円管で連結し、上盤体に設けている複数の円孔に円管の上部を臨ませてなる重石と、上盤体の側縁に挟着する鉄骨クランプと、所望位置に配列した複数の重石同士を固定するため鉄骨クランプ間にわたり連結する単管パイプとから成り、重石の円孔に臨ませている口径を異にする円管に防護柵の支柱を差込んで防護柵を直列させ、並列させ或いはコ字形等に配列したことを特徴とする工事現場用、建築現場用の防護柵の固定装置。
【請求項２】
重石に立設している防護柵の支柱にステー杆の上部を取り付け、ステー杆の下部と支柱間にわたり単管パイプを連結するため、重石と、重石と対向して横設したＨ形鋼にそれぞれ鉄骨クランプを用い単管パイプを連結して成る請求項１記載の工事現場用、建築現場用の防護柵の固定装置。
【請求項３】
防護柵を傾斜地に立設するため、重石を積み重ね連通させた円管に棒杭を差し込んで土中に埋設し、重石と、重石と対向して横設したＨ形鋼にそれぞれ鉄骨クランプを用い単管パイプを連結して成る請求項２記載の工事現場用、建築現場用の防護柵の固定装置。
【考案の詳細な説明】
【技術分野】
【０００１】
本考案は工事現場用、建築現場用の防護柵等の固定装置に関する。
【背景技術】
【０００２】
1.  工事用立て看板や柵が倒れないようにするため、その脚柱を差し入れる多数の穴を固定重石に設けた発明があり、例えば特開２００３−２７４３６。
【０００３】
２.  エスカレーターやエレベータなどの保守点検のため乗降口の床面に折畳み式の安全柵を立て込むと共に、安全柵の下部脚間にわたり横架している横に重石を跨がせて安全柵を固定する発明があり、例えば特開２０００−１７８９３３。
【０００４】
３.フェンスを取り付ける一対の支柱の上部と中間部に斜めの控え柱を楔部材で取り付けるための保持板を設け、土中に打ち込んだ杭に控え柱の下部をクランプ部材で固定すると共に、支柱の下部に重石を取り付けた組立式仮設フェンスがある。例えば特開平８−３１２２０５。
【０００５】
４．従来、防護柵や立て看板を立設するため、コンクリート製の丸石の周囲に帯金を巻き付けた重石に設けている円孔に、防護柵や立て看板の脚柱を差し込むものや、樹脂製の重石に脚柱を立設しているものがある。
【特許文献１】特開２００３−２７４３６号公報
【特許文献２】特開２０００−１７８９３３号公報
【特許文献３】特開平８−３１２２０５号公報
【考案の開示】
【考案が解決しようとする課題】
【０００６】
1.   特許文献１の発明は、各固定重石は独立しており門形のパイプ柵の脚柱は二個の固定重石にのみ連結され強風下ではパイプ柵が固定重石ごと移動したり倒れてしまう恐れがある。
【０００７】
２.   特許文献２の昇降機の安全柵固定装置は安全柵の下辺を棒状体とし、その棒状体に嵌合する溝部を重石体の下面に設け、その溝部に棒状体を密嵌したものであり、ビルの屋内に設置する装置であるため強風下の屋外では重石体ごと移動したり倒れてしまう恐れがあるため使用できない。
【０００８】
３．  特許文献３の組立式仮設フェンスは、支柱の中途に重量のある重石をストッパを用いて取り付ける事を要すると共に、杭を土中に打ち込む手間を要する。
【０００９】
４．  帯金を巻き付けたコンクリート製の重石や樹脂製の重石は、ひび割れが生じ易く耐久性が乏しい。又、多数の重石同士を連結するためのクランプ部材を取り付ける事ができない。
【課題を解決するための手段】
【００１０】
工事現場や建築現場において作業員が安全に仕事でき又、部外者が妄りに立ち入らないようにする防護柵を安定して設置するため、或いは通行人に工事中であることを知らせる立て看板を安定して設置するため、金属製の上盤体と下盤体を複数の円管で連結し、上盤体と下盤体に設けている複数の円孔に円管の開口を臨ませてなる重石と、上盤体の側縁に挟着する鉄骨クランプと、所望位置に配列した複数の重石同士を固定するため鉄骨クランプ間にわたり連結する単管パイプとから成り、重石の円孔に臨ませている口径を異にする円管に防護柵や立て看板の支柱を差込み、防護柵を直列させ、並列させ或いはコ字形に配列し各重石同士を鉄骨クランプを用い安定よく固定して工事現場や建築現場を取り囲み、作業員が安全に仕事できるよう防護柵等を簡単に設置することと、防護柵等を設置する地形に段差がある傾斜地の場合には重石を積み重ね、連通する円管に棒杭を挿通し土中に埋設すると共に重石同士を鉄骨クランプを用い安定よく固定し、通行人等に対し工事中であることや立ち入り禁止を明示する立て看板を立設することを目的とする。
【考案の効果】
【００１１】
工事現場や建築現場において作業員が安全に仕事でき又、部外者が妄りに立ち入らないようにする防護柵や立て看板を安定して設置できる。各防護柵は鉄骨クランプと単管パイプで強固に連結されているため強風下でも移動したり倒れたりする恐れがなく他物に衝突して危害を与える恐れがない。設置する地形に段差がある工
事現場や建築現場に、防護柵や立て看板を設置して容易に取り囲み作業員や通行人に対し注意を喚起できる。
【考案を実施するための最良の形態】
【００１２】
図1は本考案に係る重石を示す斜視図、図２は同、平面図、図３は図２におけるＸ−Ｘ断面図、図４は単管パイプを所望方向へ掴持する鉄骨クランプを重石の上盤体に締結した状態を示す正面図、図５は同、側面図、隣り合う鉄骨クランプ間に鋼管を連結した状態を示す斜視図、図６は単体の防護柵を示す斜視図、図７は複数の防護柵をコ字形に配列し、隣り合う重石同士を単管パイプと鉄骨クランプを用いて一体的に連結した状態を示す斜視図、図８は本考案の他の実施例を示し、立て看板を取付けた防護柵の支柱上部にステーを斜め下向きに連結すると共に、防護柵の支柱下部とステーの下端を単管パイプで連結し、単管パイプを鉄骨クランプで重石とＨ型鋼のフランジに連結した状態を示す斜視図であり、図９は同、斜視図、図１０は傾斜地に本考案を立設する状態を示す正面図であり、本考案の実施例は以下のように構成される。
【００１３】
請求項1の考案
重石１は金属製の上盤体1ａと下盤体1ｂを複数の円管２で上下に連結され、上盤体1ａと下盤体1ｂに設けている複数の円孔３に円管２の上部開口を臨ませている。円孔３の口径は円管２に差し込む防護柵５の支柱５ａの直径に応じて大小の口径に形成され、重石1の上盤体１ａの側縁に挟着する鉄骨クランプ４と、所望位置に配列した複数の重石１同士を固定するため鉄骨クランプ４間にわたり連結する単管パイプ６とから成り、口径を異にする円管２に防護柵５の支柱５ａを差込むことにより多数の防護柵５を直列させ、並列させ、或いはコ字形に配列する。
【００１４】
鉄骨クランプ４は、重石１の上盤体１ａの側縁に挟着する断面コ字形の挟着部４ａと、単管パイプ６を掴持して固定する掴持部４ｂとからなり、隣り合う鉄骨クランプ４同士にわたり単管パイプ６を連結して固定することにより各重石１と一体の多数の防護柵５を所望位置に安定よく配列する。
請求項２の考案
防護柵５を堅固に列設するため、重石１の円管２に差し込み立設している防護柵の支柱５ａ上部に、ステー杆５ｂの上部を斜め下向きに連結すると共にステー杆５ｂの下部と支柱５ａ下部にわたり単管パイプ６の両端を連結するため、重石１に挟着した鉄骨クランプ４とＨ形鋼７に挟着した鉄骨クランプ４間に単管パイプ６を連結する。
【００１５】
請求項３の考案
防護柵５を傾斜地に立設するため、重石１を数段に積み重ね、円孔３を連通させて該連通孔に棒杭８を差し込むと共に棒杭８の先端部を土中に埋設し、Ｈ形鋼７と
上段の重石１に掴持した単管パイプ６のレベルを水平に合わせて連結する。図８と図１０において、支柱５ａに立て看板９を取り付けた状態を示している。    
【図面の簡単な説明】
【００１６】
【図１】本考案に係る重石を示す斜視図。
【図２】同、平面図。
【図３】図２におけるＸ−Ｘ断面図。
【図４】単管を所望方向へ掴持する鉄骨クランプを重石の上盤体に締結した状態を示す正面図。
【図５】同、側面図。
【図６】単体の防護柵を示す斜視図。
【図７】複数の防護柵をコ字形に配列し隣り合う重石同士を単管パイプで一体的に連結した状態を示す斜視図。
【図８】防護柵の支柱に立て看板を取り付けると共にステーを斜めに取り付け、重石とＨ形鋼間に鉄骨クランプを用いて連結した単管パイプにステーを連結した状態を示す正面図。
【図９】同、斜視図。
【図１０】傾斜地に重石を積み重さね棒杭を土中に打ち込んで重石を安定させると共に立て看板を取り付けた防護柵の支柱を重石に立設し、傾斜地に横設したＨ形鋼と重石間に鉄骨クランプを用いて単管パイプ連結し、防護柵の支柱と単管パイプにステーを連結した状態を示す正面図。
【符号の説明】
【００１７】
１  重石    1ａ  上盤体    1ｂ  下盤体    ２    円管    ３    円孔
４  鉄骨クランプ    ４ａ  挟着部    ４ｂ    掴持部    
５    防護柵      ５ａ    支柱    ５ｂ    ステー杆    ６    単管パイプ
７  Ｈ形鋼    8  棒杭    ９  立て看板
【図１】
0003132001.tif 000003
【図２】
0003132001.tif 000004
【図３】
0003132001.tif 000005
【図４】
0003132001.tif 000006
【図５】
0003132001.tif 000007
【図６】
0003132001.tif 000008
【図７】
0003132001.tif 000009
【図８】
0003132001.tif 000010
【図９】
0003132001.tif 000011
【図１０】
0003132001.tif 000012